(57)【特許請求の範囲】
【請求項１】
覆帯型車両（10）のスプロケットアセンブリであって、
複数の第１の開口（26）を画成するフランジ部分（24）を有する円形支持部材（22）と；
それぞれ複数の歯（36）と複数の第２の開口（38）を有し、前記フランジ部分（24）に係合してそれを包囲するように適合した複数の歯セグメント（28）と；
それぞれ複数の貫通穴（42）と実質上平らな平坦面（44）を有する複数の締付プレート（30）と；
それぞれ整列した第１及び第２の開口（26,38）と整列した前記締付プレート（30）の貫通穴（42）を貫通するように適合した、複数のネジ付締具（32）とを具備し；
各締付プレート（30）の前記平坦面（44）は少なくとも２つの隣接する前記歯セグメント（28）と接触するように適合しており、前記貫通穴（42）の各々は第１及び第２の開口（26,38）と整列するように適合しているスプロケットアセンブリ。
【請求項２】
前記歯セグメント（28）及び前記締付プレート（30）は弓形形状をしている請求項１記載のスプロケットアセンブリ。
【請求項３】
前記歯セグメント（28）の少なくとも１つは２つ或いはそれ以上の歯（36）を有している請求項１記載のスプロケットアセンブリ。
【請求項４】
前記スプロケットセグメント（28）の少なくとも１つは４つの歯（36）を有しており、前記スプロケットセグメント（28）の少なくとも１つは５つの歯（36）を有している請求項１記載のスプロケットアセンブリ。
【発明の詳細な説明】
技術分野
本発明は一般的に覆帯型機械のスプロケット歯セグメントに関し、特にスプロケット歯セグメントを機械に固定するスプロケットアセンブリに関する。
背景技術
本発明は、1985年４月16日にT.Sasamotoに対して発行された米国特許4,511,186号に示されている各セグメントが複数の歯を備えた複数のセグメントを有するスプロケットホイールに関する。この特許においては、歯セグメントが複数のネジ付きボルト及びナットにより外側チューブに連結されている。
上述した従来のスプロケットアセンブリは交換可能な駆動歯セグメントを提供する。しかし、歯がボルト及びナットにより支持部材に固定されているので、大きな負荷がかかるとセグメントが撓むことになる。
本発明は上述した問題を克服せんとするものである。
発明の開示
本発明の１つの側面においては、複数の歯を具備したスプロケットセグメントを支持部材に連結する締付プレートは、実質上平らな平坦面を有する弓形状金属バーを含んでいる。平坦面は、セグメントが支持部材上に取り付けられるとスプロケットセグメントに接触するように適合している。金属バーは、スプロケットセグメントを支持部材に連結するために、ネジ付き締付具とともに使用されるネジ付きの又はネジ付きでない複数の貫通穴を有している。
無端状トラックアセンブリを利用する覆帯型機械においては、機械からの駆動パワーは多数の歯を具備したスプロケットホイールにより無端状トラックアセンブリに伝達される。大型機械においては、スプロケット歯にかかるトルクは大きなものとなる。各セグメントは複数の歯を有しており支持部材にボルト留めされる、複数の個々のセグメントからスプロケットホイールを形成するのが望ましい。理想的には、各セグメントはできるだけ少ない歯、例えば４つ又は５つの歯を有するのが好ましい。しかし、大きな力のもとでセグメントがスリップしないように、あるセグメントには９つの歯及び９つのボルト及びナットアセンブリが要求される。
本発明はスプロケットセグメントを支持部材に固定するために、ネジ付きの又はネジ付きでない締付プレートを利用する。締付プレートは、トルク力に抵抗し個々のスプロケットセグメントの接線方向のスリップを減少させるために、増加されたクランプ表面積を提供する。もしネジ付きでない締付プレートが使用されたなら、締付プレートとスプロケットセグメントを互いに固定するために、従来のネジ付き締付具及びナットが使用される。
【図面の簡単な説明】
図１は本発明を具備した作業機械の概略側面図；
図２は本発明を取り入れたスプロケットアセンブリの拡大概略側面図；
図３は図２の３−３線に沿った拡大概略断面図である。
発明を実施するための最良の態様
図面を参照すると、覆帯型機械のような作業機械10はパワー駆動システム12と、駆動スプロケットアセンブリ14と、第１及び第２の遊動輪16,18と、スプロケットアセンブリ14及び遊動輪16,18にかけ回された無端状トラックチェーンアセンブリ20を有している。スプロケットアセンブリ14は、機械10からトラックアセンブリ20にパワーを伝達するように適合している。
スプロケットアセンブリ14はフランジ部分24を有する円形支持ハブ22を含んでいる。スプロケットアセンブリ14は更に、複数の弓形状歯セグメント28と、複数の締付プレート30と、複数のネジ付き締具32を含んでいる。歯セグメント28はフランジ部分24に係合してこれを包囲し、スプロケット輪34を形成するように適合している。各歯セグメント28は複数の歯36を有しており、複数の第２の開口38を画成する。各セグメント28は５つの歯を有するように図示されているが、各セグメント28の歯36の数は変更可能である。例えば、１つ或いは複数のセグメント38が４つの歯36を有し、他の１つあるいは複数のセグメント38が５つの歯36を有するように、隣接するセグメント38は異なる歯数を有することができる。
締付プレート30及びネジ付締具32は、多数の歯を有するスプロケットセグメント28を支持ハブ22のフランジ部分24に連結するのに適合している。各締付プレート30は、複数のネジ付貫通穴42と実質上平らな平坦面44を有する延伸した弓形状金属バー40を含んでいる。セグメント28及び締付プレート30が支持ハブ22上に取り付けられた状態では、各金属バー40の平坦面44はセグメント28に接触するように適合している。
歯セグメント28は支持ハブ22の回りに円形パターンで配置され、隣接するセグメント28の間にはジョイント（継ぎ目）46が形成される。各締付プレート30は１つの継ぎ目46に渡って設けられており、２つの隣接セグメント28に部分的に接触している。取付状態においては、各ネジ付貫通穴42は、支持部材22の第１開口26の１つとセグメント28の第２開口38の１つと整列する。次いで、ネジ付締具32が第１及び第２開口26,38を貫通し、ネジ穴42に係合してセグメント28を支持部材22に強固に連結する。締付プレート30により付加的な表面接触が提供されるので、負荷がかかったときの歯セグメント28の接線方向のスリップの可能性は非常に減少される。
産業上の利用可能性
本発明の締付プレート30は、スプロケット輪34を形成するために、複数の歯セグメント28を支持部材22に強固に連結するのに特に有用である。セグメント28は締付プレート30のネジ穴42に係合する複数のネジ付締具32により支持部材22に連結されて、セグメント28をフランジ部分24と締付プレート30の間にクランプする。ある応用例においては、穴42はタップ穴でなく、ネジ付締具32に及びナットによりセグメント28と締付プレート30を支持部材22に連結する。締付プレート30の平坦面44が付加的な表面積を提供して、負荷がかかったときのセグメント28の接線方向のスリップの可能性を減少する。各締付プレート30が隣接する歯セグメント28の継ぎ目に渡って設けられており、少なくとも２つの隣接セグメント28に部分的に接触しているので、スリップの可能性は減少される。
本発明の他の側面、目的及び利益は図面、詳細な説明及び添付請求の範囲を研究することにより得ることができる。
【図１】
0003620847.tif 000002
【図３】
0003620847.tif 000003
【図２】
0003620847.tif 000004